(57)【要約】自律結合可能なユーザエージェント。ユーザエージェントは、アクセスノードからの第１の信号および中継ノードからの第２の信号の受信を促進するように構成されるプロセッサとして実装可能である。プロセッサは、第１および第２の信号を結合するようにさらに構成され得る。一実施形態において、第１および第２の信号は、それぞれ、第１および第２の伝送としてさらに規定され、第１および第２の伝送は、それぞれ、第１および第２のデータを含み、第１および第２の信号を結合することは、別個に、第１および第２の伝送の部分を復調することと、第１および第２のデータの部分を結合することとしてさらに規定される。【選択図】図１
2012512602.tif 000002
【特許請求の範囲】
【請求項１】
ユーザエージェントであって、
アクセスノードからの第１の信号および中継ノードからの第２の信号の受信を促進するように構成されるプロセッサであって、該第１および第２の信号を結合するようにさらに構成されるプロセッサを備えている、ユーザエージェント。
【請求項２】
前記第１および第２の信号は、それぞれ、第１および第２の伝送としてさらに規定され、該第１および第２の伝送は、それぞれ、第１および第２のデータを含み、該第１および第２の信号を結合することは、別個に、該第１および第２の伝送の部分を復調することと、該第１および第２のデータの部分を結合することとしてさらに規定される、請求項１に記載のユーザエージェント。
【請求項３】
前記第２の伝送は、前記第１の伝送から第１の時間後に受信され、前記ユーザエージェントは、該ユーザエージェントが、少なくとも該第１の時間と同じ長さの第２の時間の間待機した後、前記第１および第２のデータを結合するようにさらに構成される、請求項２に記載のユーザエージェント。
【請求項４】
前記結合することは、前記ユーザエージェントが、制御チャネルにおいてコード化された追加データを受信することによって促進される、請求項２または３に記載のユーザエージェント。
【請求項５】
前記追加データは、前記第２の伝送の受信前に、前記第１および第２のデータが実質的に類似することを前記ユーザエージェントに示す、請求項４に記載のユーザエージェント。
【請求項６】
前記追加データは、複数のアドレス集合のうちの特定のアドレス集合を備え、該特定のアドレス集合は、前記ユーザエージェントのためにサービスを提供可能な対応する中継ノードを識別する第１のアドレスサブ集合を含み、該特定のアドレス集合は、該ユーザエージェントを識別する第２のアドレスサブ集合を含む、請求項４または５に記載のユーザエージェント。
【請求項７】
前記ユーザエージェントは、前記第１および第２のデータが結合されることを可能にする機能を無効にするようにさらに構成される、請求項２から６のいずれかに記載のユーザエージェント。
【請求項８】
前記ユーザエージェントは、前記第１の伝送の受信の失敗に応答して、前記機能を無効にするようにさらに構成される、請求項７に記載のユーザエージェント。
【請求項９】
前記ユーザエージェントは、所望の信号強度に対して弱強度を有する前記第１の伝送に応答して、前記機能を無効にするようにさらに構成される、請求項７または８に記載のユーザエージェント。
【請求項１０】
前記ユーザエージェントは、前記第１の伝送の改善に応答して、前記機能を再有効化するようにさらに構成される、請求項７から９のいずれかに記載のユーザエージェント。
【請求項１１】
前記プロセッサは、増分的冗長性結合またはブラインドデコーディングのいずれかを使用して、前記第１および第２のデータを結合するように構成される、請求項２から１０のいずれかに記載のユーザエージェント。
【請求項１２】
ユーザエージェントに実装される方法であって、
アクセスノードからの第１の信号を受信することと、
中継ノードからの第２の信号を受信することと、
該第１および第２の信号を結合することと
を含む、方法。
【請求項１３】
前記第１および第２の信号は、それぞれ、第１および第２の伝送としてさらに規定され、該第１および第２の伝送は、それぞれ、第１および第２のデータを含み、前記信号を結合することは、別個に、該第１および第２の伝送の部分を復調することと、該第１および第２のデータの部分を結合することとしてさらに規定される、請求項１２に記載の方法。
【請求項１４】
前記第２の伝送は、前記第１の伝送から第１の時間後に受信され、前記ユーザエージェントが、少なくとも該第１の時間と同じ長さの第２の時間の間待機した後、該第１および第２のデータを結合することをさらに含む、請求項１３に記載の方法。
【請求項１５】
前記結合することは、前記ユーザエージェントが、制御チャネルにおいてコード化された追加データを受信することによって促進される、請求項１３または１４に記載の方法。
【請求項１６】
前記追加データは、複数のアドレス集合のうちの特定のアドレス集合を備え、該特定のアドレス集合は、前記ユーザエージェントのためにサービスを提供可能な対応する中継ノードを識別する第１のアドレスサブ集合を含み、該特定のアドレス集合は、該ユーザエージェントを識別する第２のアドレスサブ集合を含む、請求項１５に記載の方法。
【請求項１７】
アクセスノードであって、
複数の中継ノードのうちの１つを示し、かつ、複数ユーザエージェントのうちの１つをさらに示すアドレスを提供するように構成されるプロセッサであって、該複数の中継ノードのうちの１つ以上への該アドレスの伝送を促進するようにさらに構成されるプロセッサを備える、アクセスノード。
【請求項１８】
前記アドレスは、第１のビット集合および第２のビット集合を備え、該第１のビット集合は、対応する中継ノードを識別し、該第２のビット集合は、該対応する中継ノードのドナーセル内の対応するユーザエージェントを識別する、請求項１７に記載のアクセスノード。
【請求項１９】
前記アクセスノードは、信号を特定のユーザエージェントに伝送することによって、該特定のユーザエージェントに、自律結合を無効にするように命令するようにさらに構成される、請求項１７または１８に記載のアクセスノード。
【請求項２０】
前記アクセスノードは、信号を特定のユーザエージェントに伝送することによって、該特定のユーザエージェントに、自律結合を有効にするように命令するようにさらに構成される、請求項１７または１８に記載のアクセスノード。
【請求項２１】
前記アクセスノードは、フィールドを物理的ダウンリンク制御チャネル（ＰＤＣＣＨ）信号に追加するようにさらに構成され、該フィールドは、ユーザエージェントにおける媒体アクセス制御パケットデータユニット（ＭＡＣ  ＰＤＵ）を識別するための指数を含む、請求項１７から２０のいずれかに記載のアクセスノード。
【請求項２２】
アクセスノードに実装される方法であって、
複数の中継ノードのうちの１つを示し、かつ、複数のユーザエージェントのうちの１つをさらに示すアドレスを提供することと、
該アドレスを該複数の中継ノードのうちの１つ以上に伝送することと
を含む、方法。
【請求項２３】
前記アドレスは、第１のビット集合および第２のビット集合を備え、該第１のビット集合は、対応する中継ノードを識別し、該第２のビット集合は、該対応する中継ノードのドナーセル内の対応するユーザエージェントを識別する、請求項２２に記載の方法。
【請求項２４】
信号を特定のユーザエージェントに伝送することにより、前記特定のユーザエージェントに、自律結合を無効にするように命令することをさらに含む、請求項２２または２３に記載の方法。
【請求項２５】
信号を特定のユーザエージェントに伝送することにより、該特定のユーザエージェントに、自律結合を有効にするように命令することをさらに含む、請求項２２または２３に記載の方法。
【請求項２６】
フィールドを物理的ダウンリンク制御チャネル（ＰＤＣＣＨ）信号に追加することをさらに含み、該フィールドは、ユーザエージェントにおける媒体アクセス制御パケットデータユニット（ＭＡＣ  ＰＤＵ）を識別するための指数を含む、請求項２２から２５のいずれかに記載の方法。
【請求項２７】
コンピューティングデバイスのプロセッサによって実行可能なコンピュータ読み取り可能命令を格納するコンピュータ読み取り可能媒体であって、該命令は、デバイスに、請求項１２から１６に記載のいずれかの方法を実装させる、コンピュータ読み取り可能媒体。
【発明の詳細な説明】
【背景技術】
【０００１】
本明細書で使用される場合、用語「ユーザエージェント」および「ＵＡ」は、ある場合には、携帯電話、携帯端末、携帯式またはラップトップコンピュータ、および電気通信能力を有する類似デバイス等のモバイルデバイスを指す場合がある。そのようなＵＡは、加入者識別モジュール（ＳＩＭ）アプリケーション、汎用加入者識別モジュール（ＵＳＩＭ）アプリケーション、または可撤性ユーザ識別モジュール（Ｒ-ＵＩＭ）アプリケーションを含む、汎用集積回路カード（ＵＩＣＣ）等のＵＡおよびその関連付けられた可撤性メモリモジュールから成る場合があるが、それらに限定されない。代替として、そのようなＵＡは、そのようなモジュールを伴わずに、デバイス単体から成る場合がある。他の場合には、用語「ＵＡ」は、デスクトップコンピュータ、セットトップボックス、またはネットワーク機器等の類似能力を有するが、可搬性ではない、デバイスを指す場合がある。また、用語「ＵＡ」は、ユーザのための通信セッションを終了させることが可能な、任意のハードウェアまたはソフトウェア構成要素を指し得る。また、用語「ユーザエージェント」、「ＵＡ」、「ユーザ機器」、「ＵＥ」、「ユーザデバイス」、および「ユーザノード」は、本明細書では、互換的に使用される場合がある。
【０００２】
電気通信技術の進歩に伴って、以前は不可能であったサービスを提供可能な、より高度なネットワークアクセス機器が導入されてきている。本ネットワークアクセス機器は、従来の無線電気通信システムにおける同等機器の改良である、システムおよびデバイスを含む場合がある。そのような高度または次世代機器は、ロングタームエボリューション（ＬＴＥ）等の発展的無線通信規格に含まれ得る。例えば、ＬＴＥシステムは、拡張ノードＢ（ｅＮＢ）、無線アクセスポイント、または従来の基地局ではない類似構成要素を含む場合がある。本明細書で使用されるように、用語「アクセスノード」は、ＵＡまたは中継ノードの電気通信システム内の他の構成要素へのアクセスを可能にする、受信および伝送範囲の地理的面積を生成する、従来の基地局、無線アクセスポイント、またはＬＴＥ  ｅＮＢ等の無線ネットワークの任意の構成要素を指す。本書では、用語「アクセスノード」および「アクセスノード」は、互換的に使用され得るが、アクセスノードは、複数のハードウェアおよびソフトウェアを備え得ることを理解されたい。
【０００３】
用語「アクセスノード」は、アクセスノードまたは別の中継ノードによって生成される範囲を拡張あるいは増進させるように構成される、無線ネットワーク内の構成要素である、「中継ノード」を指すわけではない。アクセスノードおよび中継ノードは両方とも、無線通信ネットワーク内に存在し得る、無線構成要素であって、用語「構成要素」および「ネットワークノード」は、アクセスノードまたは中継ノードを指し得る。構成要素は、その構成および設置に応じて、アクセスノードまたは中継ノードとして動作する場合があることを理解されたい。しかしながら、構成要素は、アクセスノードの無線範囲が、無線通信システム内の他の構成要素にアクセスすることを要求する場合のみ、「中継ノード」と呼ばれる。加えて、２つ以上の中継ノードは、アクセスノードによって生成される範囲を拡張または増進させるために、直列的に使用され得る。
【０００４】
ＬＴＥシステムは、ＵＡとネットワークノードまたは他のＬＴＥ機器との間の無線リソースの割当、構成、および解放に関与する、無線リソース制御（ＲＲＣ）プロトコル等のプロトコルを含み得る。ＲＲＣプロトコルについては、第３世代パートナーシッププロジェクト（３ＧＰＰ）技術仕様（ＴＳ）３６．３３１に詳述されている。ＲＲＣプロトコルによると、ＵＡのための２つの基礎ＲＲＣモードは、「アイドルモード」および「接続モード」として定義される。接続モードまたは状態の間、ＵＡは、信号をネットワークと交換し、他の関連動作を行い得る一方、アイドルモードまたは状態の間、ＵＡは、その接続モード動作の少なくとも一部を停止し得る。アイドルおよび接続モード挙動については、３ＧＰＰ  ＴＳ  ３６．３０４およびＴＳ  ３６．３３１に詳述されている。
【０００５】
ＵＡ、中継ノード、およびアクセスノード間でデータを搬送する信号は、周波数、時間、およびコーディングパラメータ、ならびにネットワークノードによって指定される場合がある他の特性を有し得る。そのような特性の特有の集合を有する、これらの要素のいずれか間の接続は、リソースと称され得る。用語「リソース」、「通信接続」、「チャネル」、および「通信リンク」は、本明細書では、同義的に使用される場合がある。ネットワークノードは、典型的には、各ＵＡまたは任意の特定の時間に通信する他のネットワークノードのために、異なるリソースを確立する。
【発明の概要】
【課題を解決するための手段】
【０００６】
初めに、本開示の１つ以上の実施形態の例証的実装が後述されるが、開示されるシステムおよび／または方法は、現在既知または存在するかどうかにかかわらず、任意の数の技術を使用して、実装され得ることを理解されたい。本開示は、本明細書に例証および説明される例示的設計および実装を含め、以下に例証される例証的実装、図面、ならびに技術にいかようにも限定されるものではなく、添付の請求項の範囲とともに、それらの均等物の全範囲内において修正され得る。
【０００７】
本開示のより完全な理解のために、付随の図面および発明を実施するための形態と併せて、以下の簡単な説明を参照する（類似参照番号は、類似部品を表す）。
【図面の簡単な説明】
【０００８】
【図１】図１は、本開示のある実施形態による、中継ノードを含む、無線通信システムを例証する、略図である。
【図２】図２は、本開示のある実施形態による、アクセスノードおよびユーザエージェントと通信する、中継ノードのブロック図である。
【図３Ａ】図３Ａは、本開示のある実施形態による、ユーザエージェントにおける自律結合の方法を例証する、工程図である。
【図３Ｂ】図３Ｂは、本開示のある実施形態による、ユーザエージェントにおける自律結合を促進するためのアクセスノードにおける方法を例証する、工程図である。
【図４】図４は、本開示のいくつかの実施形態を実装するために好適なプロセッサおよび関連構成要素を例証する。
【発明を実施するための形態】
【０００９】
図１は、本開示のある実施形態による、中継ノード１０２を使用する、無線通信システム１００を例証する、略図である。概して、本開示は、無線通信ネットワークにおける中継ノードの使用に関する。無線通信ネットワークの実施例として、ＬＴＥまたはＬＴＥ−アドバンスド（ＬＴＥ−Ａ）ネットワークが挙げられるが、開示および請求される実施形態はすべて、ＬＴＥ−Ａネットワークに実装され得る。中継ノード１０２は、ＵＡ１１０から受信した信号を増幅または反復し、修正された信号をアクセスノード１０６で受信させることが可能である。中継ノード１０２のいくつかの実装では、中継ノード１０２は、データを伴う信号をＵＡ１１０から受信し、次いで、新しい信号を生成し、データをアクセスノード１０６に伝送する。また、中継ノード１０２は、データをアクセスノード１０６から受信し、データをＵＡ１１０に送達可能である。中継ノード１０２は、ＵＡ１１０が、セルのためのアクセスノード１０６と直接通信するのではなく、中継ノード１０２と通信可能であるように、セルのエッジ近傍に設置される場合がある。
【００１０】
無線システムでは、セルは、受信および伝送範囲の地理的面積である。セルは、相互に重複可能である。典型的実施例では、各セルと関連付けられた１つのアクセスノードが存在する。セルのサイズは、周波数帯域、電力レベル、およびチャネル条件等の要因によって決定される。中継ノード１０２等の中継ノードを使用して、セル内またはその近傍の範囲を増進させる、あるいはセルの範囲のサイズを拡張させることが可能である。加えて、中継ノード１０２の使用は、ＵＡ１１０がセルのためのアクセスノード１０６と直接通信する場合に使用し得るものより高いデータ速度または低い電力伝送で、ＵＡ１１０が中継ノード１０２にアクセス可能であるため、セル内の信号のスループットを増進させることが可能である。より高いデータ速度における伝送は、より少ないバッテリ電力を消耗することによって、より高いスペクトル効率を生成し、ＵＡ１１０に恩恵をもたらす。
【００１１】
中継ノードは、概して、３つのタイプ、すなわち、レイヤ１中継ノード、レイヤ２中継ノード、およびレイヤ３中継ノードに分割可能である。レイヤ１中継ノードは、本質的に、増幅および若干の遅延以外、任意の修正を伴わずに、伝送を再伝送可能な反復器である。レイヤ２中継ノードは、受信した伝送をデコードし、デコーティングの結果を再エンコードし、次いで、再エンコードされたデータを伝送可能である。レイヤ３中継ノードは、完全無線リソース制御能力を有することが可能であって、したがって、アクセスノードと同様に機能可能である。中継ノードによって使用される無線リソース制御プロトコルは、アクセスノードによって使用されるものと同一であり得、中継ノードは、典型的には、アクセスノードによって使用される、一意のセル識別子を有し得る。本開示の目的のために、中継ノードは、電気通信システム内の他の構成要素にアクセスするために、少なくとも１つのアクセスノード（および、そのアクセスノードと関連付けられたセル）の存在を必要とするという事実によって、アクセスノードと区別される。例証的実施形態は、主に、レイヤ２またはレイヤ３中継ノードに関係している。したがって、本明細書で使用されるように、用語「中継ノード」は、別途具体的に記述されない限り、レイヤ１中継ノードを指さない。
【００１２】
通信システム１００では、無線通信を可能にするリンクは、３つの個別のタイプであると言える。１つ目は、ＵＡ１１０が、中継ノード１０２を経由して、アクセスノード１０６と通信時、ＵＡ１１０と中継ノード１０２との間の通信リンクは、アクセスリンク１０８を介して生じていると言える。２つ目は、中継ノード１０２とアクセスノード１０６との間の通信は、中継リンク１０４を介して生じていると言える。３つ目は、中継ノード１０２を通過せずに、ＵＡ１１０とアクセスノード１０６との間を直接通過する通信は、直接リンク１１２を介して生じていると言える。用語「アクセスリンク」、「中継リンク」、および「直接リンク」は、図１によって説明される意味に従って、本書では使用される。
【００１３】
無線通信では、潜在的に無線信号を受信可能な任意のデバイスは、受信した無線信号を処理するように構成され得る。例えば、アクセスノードは、第１のデータを含む第１の信号を伝送する。その第１の信号は、ＵＡと、ＵＡが接続される中継ノードとの両方によって、受信可能である。順に、中継ノードは、実質的に類似データを含む、第２の信号を生成し、ＵＡに伝送し得る。しかしながら、第２の信号は、第１の信号と異なる変調およびコード化方式を使用して、伝送される可能性があり得る。ＵＡは、それによって、実質的に同一データを、第１の信号（アクセスノードから）と、次いで、短時間後、第２の信号（中継ノードから）との両方から受信可能である。２つの異なる信号が、実際に使用されるが（アクセスノードからと中継ノードからのもの）、両信号は、実質的に同一データを伝達し得る。アクセスノードおよび中継ノードからのデータは、ＵＡによって受信される、実質的に同一データの伝送と称され得るが、いくつかの差異が存在し得、したがって、本事例において、ＵＡによって受信される関連データは、正確に同一でなくてもよいことを理解されるであろう。
【００１４】
ＵＡは、データをデコードする前に、アクセスノードおよび中継ノードによって伝送される、異なる信号から実質的に同一データを受信可能であるため、２つの異なる信号から受信した復調データを結合するか、または可能性として、２つの信号の変調およびコード化方式が、実質的に類似する場合、データを復調する前に、信号を結合する機会が生じる。２つの信号からのデータを結合することによって、ＵＡは、潜在的に、データ受信を改善可能であって、それによって、ＵＡは、サービスをより好適に伝達し、または別様に性能を改善可能となり得る。
【００１５】
したがって、例証的実施形態は、自律結合可能なユーザエージェントを提供する。ユーザエージェントは、アクセスノードからの第１の信号および中継ノードからの第２の信号の受信を促進するように構成される、プロセッサとして、実装可能である。プロセッサは、第１および第２の信号を結合するようにさらに構成され得る。
【００１６】
図２は、本開示のある実施形態による、アクセスノード２０２およびＵＡ２０４と通信する、中継ノード２０２のブロック図である。これらのデバイスは、図１における対応するデバイスと類似しており、同様に動作する。したがって、例えば、中継ノード２００は、図１の中継ノード１０２であり得、アクセスノード２０２は、図１のアクセスノード１０６であり得、ＵＡ２０４は、図１のＵＡ１１０であり得る。
【００１７】
中継ノード２００は、中継ノードセル２０６内で動作する。同様に、アクセスノード２０２は、アクセスノードセル２０７内で動作する。本明細書に説明される実施形態の目的のために、ＵＡ２０４は、中継ノードセル２０６およびアクセスノードセル２０７の両方の境界内にある。同様に、中継ノード２００は、アクセスノードセル２０７内にある。しかしながら、潜在的に、ＵＡ２０４は、中継ノードセル２０６またはアクセスノードセル２０７のうちの１つのみ内にあるか、または可能性として、ある他のセル内にあって、依然として、サービスを受信し得る。本明細書に説明される実施形態の目的のために、中継ノードセル２０６およびアクセスノードセル２０７を表す楕円線は、概念的境界を表すにすぎず、必ずしも、これらのセルの実際の境界を表すわけではない。
【００１８】
ＵＡ２０４は、中継ノードセル２０６およびアクセスノードセル２０７内にあるため、ＵＡ２０４は、中継ノード２００およびアクセスノード２０２の両方から信号を受信する場合がある。したがって、無線チャネルの伝搬特性によって、実質的に同一データが、中継ノード２００およびアクセスノード２０２の両方によって、ＵＡ２０４に伝送され得る。
【００１９】
例えば、アクセスノード２０２は、矢印２１０の両方によって示される、データを伝達する、第１の信号を送信し得る。第１の信号は、主に、中継ノード２００のために意図されるが、ＵＡ２０４によって検出されるほど十分に強力である場合がある。したがって、矢印２１０は、一実施形態では、同一信号（第１の信号）が、中継ノード２００およびＵＡ２０４の両方によって受信されることを示す。
【００２０】
その後、中継ノード２００は、第２の信号（矢印２１２に示されるように）をＵＡ２０４に中継または伝送し得る。第２の信号は、アクセスノード２０２から伝送された第１の信号内に含まれる、実質的に同一データを伝達し得る。したがって、ＵＡ２０４は、第１の信号（矢印２１０）を受信し、短時間後、第２の信号（矢印２１２）を受信する（両信号とも、実質的に同一データを伝達する）。
【００２１】
ＵＡ２０４が、２つの異なる源から同一データを受信するという事実は、自律結合のための機会を生成する。自律結合では、２つの異なる信号（アクセスノード２０２からの中継リンクを経由するものと、中継ノード２００からのアクセスリンクを経由するもの）が、ＵＡ２０４において復調され、各信号からのそれぞれコード化されたビットが、結合される。このように、ＵＡ２０４によってデコードされた最終データは、アクセスノード２０２から最初に伝送されたオリジナルデータを正確に反映する可能性が高い。その結果、ＵＡ２０４は、より優れたサービス品質を伝達するか、または別様に性能を改善可能である。
【００２２】
別の実施形態では、２つの信号の変調およびコード化方式は、実質的に同一であって、２つの異なる信号は、復調前に結合可能である。代替として、ＵＡ２０４が、信号をアクセスリンクから受信すると、ＵＡ２０４は、信号の復調およびデコードを試行するであろう。受信が成功する場合、ＵＡ２０４は、第２の信号を無視し得る。そうでなければ、自律結合が進められるであろう。
【００２３】
例えば、不良または変動チャネル条件中に、ＵＡ２０４は、アクセスノード２０２からＵＡ２０４への中継リンクに沿って伝達される、第１のデータ部分を正確に復調およびデコード可能でない場合がある。同様に、アクセスリンク（矢印２１２）に沿って伝達される第２のデータは、類似または他の理由から、復調およびデコードが困難である場合がある。いくつかの事例では、中継リンクを経由して受信される第１のデータは、アクセスリンクを経由して受信される第２のデータと実質的に同一であると仮定されるが、不良チャネル条件は、第１のデータと第２のデータとの間に差異をもたらす場合がある。しかしながら、ＵＡ２０４が、第１および第２の信号の両方を復調および結合し、次いで、デコードする場合、性能は、改善され得る。
【００２４】
異なる実施形態では、データ結合は、いくつかの異なる方法によって行うことが可能である。一実施形態では、増分的冗長性結合（ｉｎｃｒｅｍｅｎｔａｌ  ｒｅｄｕｎｄａｎｃｙ  ｃｏｍｂｉｎｉｎｇ）を使用可能である。増分的冗長性結合では、コード化されたビットが、実際のデコードの前に、増分的冗長性パラメータに基づいて、一緒に結合される。増分的冗長性パラメータは、制御チャネルを経由して、ＵＡ２０４に信号伝達される。別の実施形態では、ブラインドデコーディング（ｂｌｉｎｄ  ｄｅｃｏｒｄｉｎｇ）を使用可能である。ブラインドデコーディング中に、ＵＡ２０４は、信号の調整に関係なく、到着に伴って、信号を変調およびデコードする。デコードが失敗する場合、実質的に類似するデータを担う第２の信号が到着すると、ＵＡ２０４は、デコードの前に、データの結合を試行するであろう。しかしながら、結合を行うための情報は、ＵＡ２０４にはほとんど与えられない。この方法は、ＵＡ２０４において、より多くのバッテリ電力を使用する場合がある。実施形態として、２つの結合方法が開示されたが、他のデータを結合する方法も、同様に使用され得る。
【００２５】
アクセスリンク（矢印２１２）上の信号の変調およびコード化方式（ＭＣＳ）は、中継リンク（矢印２１０）上の信号のＭＣＳと異なり得る。したがって、ＵＡは、各信号を復調し、次いで、データを結合し得、該データは、上述のように、各信号から受信されたチャネルエンコードされたデータであり得る。アクセスリンクおよび中継リンク両方上の信号のＭＣＳが、同一または実質的に類似である場合、２つの信号は、信号の質を向上させるために、復調前に、直接結合され得る。次いで、結合された信号は、デコードされ得る。信号および／またはデータを結合するための種々の他の代替も、容易に提案されるが、それらも、本開示および請求項の範囲内である。
【００２６】
上述の実施形態は、２つの、可能性としては、より多くの信号が受信されることを想定する。１つは、アクセスリンク上、１つは、中継リンク上、そして、可能性として、より多くの信号が、他の中継ノードまたはアクセスノードから受信される。したがって、例えば、複数の中継ノードおよび／または複数のアクセスノードを経由して受信される信号が、受信され、デコードされ、結果として生じる対応するデータストリームが結合され得る。しかしながら、１つのみの伝送が受信される場合も、単一伝送は、依然として、成功であると見なされ得る。
【００２７】
肯定応答／否定応答信号に関して、ＵＡ２０４は、主に、通信のために、アクセスリンク（矢印２１２）を使用するため、ＵＡ２０４は、ＡＣＫ／ＮＡＣＫを中継ノード２００にのみ送信する。ＡＣＫ／ＮＡＣＫは、ＵＡ２０４からアクセスノード２０２に直接送信されない。例えば、ＵＡ２０４が、結合されたデータのデコードに成功する場合、ＵＡ２０４は、ＡＣＫを中継ノードに送信するであろう。故に、中継ノード２０２は、ＨＡＲＱ再伝送を行い得る。また、ＨＡＲＱ再伝送は、中継リンク（矢印２１０）からの信号と自律的に結合され得る。
【００２８】
異なる実施形態では、ＵＡ２０４は、信号をアクセスノード２０２から受信し、短時間（結合されたサブフレームによって表される）待機し、次いで、同一信号を中継ノード２００から受信し得る。その時、またはその後、ＵＡ２０４は、２つの信号をデコードし、次いで、２つの信号内に含まれるそれぞれのデータを結合する。
【００２９】
例えば、アクセスノード２０２は、サブフレーム「Ｎ」において、転送ブロックを中継ノード２００に送信する。ＵＡ２０４および中継ノード２００は両方とも、サブフレームを受信する。否定／肯定（ＮＡＣＫ／ＡＣＫ）信号は、ＵＡ２０４からアクセスノード２０２に伝送され得るが、ＮＡＣＫ／ＡＣＫ信号は、中継ノード２００からアクセスノード２０２に伝送される。
【００３０】
ＵＡ２０４は、アクセスノード２０２からの伝送のデコードを試行するであろう。デコードは、ＵＡ２０４が、中継リンクの物理的ダウンリンク制御チャネル（ＰＤＣＣＨ）を監視することを要求する。随意に、ＵＡ２０４は、エラー補訂を行うことが可能である。中継ノード２００は、サブフレーム「Ｎ」＋「Ｍ」上でのＵＡ２０４への伝送のために、受信した転送ブロックをスケジューリングする（「Ｍ」は、比較的に小さい数である）。中継ノード２００は、アクセスノード２０２が中継リンク上で行うのと同様に、アクセスリンクＰＤＣＣＨ上で受信した転送ブロックをスケジューリングする。次いで、ＵＡは、ほぼ「Ｍ」サブフレームの間、待機し、中継ノード２００からの伝送を受信し得る。その時点で、ＵＡは、別個の信号を変調し、次いで、上述のように、結果として生じるデータの自律結合を実装し得る。
【００３１】
別の実施形態では、アクセスノード２０２は、ＵＡ２０４の識別（ＩＤ）を使用して、スケジューリング許諾を中継ノード２００に送達する。スケジューリング許諾は、中継ノード２００に、ＵＡ２０４のためのデータが送信されることを示す。
【００３２】
アクセスノード２０２は、ＵＡ２０４のＩＤを使用して、スケジューリング許諾を中継ノード２００に送達するため、アクセスリンク（矢印２１２）および中継リンク（矢印２１０）によって伝達される信号は、ＵＡ２０４による受信のために識別可能である。さらに、追加データが、制御チャネル（ＰＤＣＣＨ等）においてコード化されてもよく、追加データによって、ＵＡは、ＵＡがアクセスリンクおよび中継リンクの両方を介して、実質的に二重のデータを受信するであろうことを認知可能となる。したがって、ＵＡ２０４は、調整信号を介して伝達される、実質的に二重のデータの受信を予期し得る。ＵＡ２０４が、２つの信号を受信すると、ＵＡ２０４は、上述のように、自律結合を行うことが可能である。故に、アクセスノード２０２によるスケジューリング許諾を使用して、より効率的自律結合を促進可能である。
【００３３】
さらに別の実施形態では、アクセスノード２０２は、アクセスノード２０２によってサービス提供される、セル内の各中継ノード２００のためのアドレス集合を保持する。一実施例では、アクセスノード２０２は、８つの中継ノードに対して１集合ずつ、アドレス集合を８つの集合に分割し得る。各集合に対して、セル無線ネットワーク一時識別子（Ｃ−ＲＮＴＩ）の最初の３ビットは、アクセスノード２０２のセル内の８つの中継ノードのそれぞれに指定され得る。したがって、集合の各要素は、対応する中継ノードを指定するために、３ビットを含む。アドレス集合の各要素に対して、最初の３ビット後の全ビットを使用して、ＵＡのための識別子を提供し得る。したがって、任意の所与のアドレス識別子は、特定の中継ノードおよび特定のＵＡを識別する。
【００３４】
このように、所与のＵＡは、その中継ノードの識別だけではなく、ＵＡ自体の識別も認知するであろう。結合された識別は、アクセスリンクおよび中継リンクの両方上で使用され得る。結合された識別が使用されると、ＵＡ２０４は、２つの異なる信号から実質的に同一データを受信することを把握し得る。２つの信号が受信されると、ＵＡ２０４は、上述のように、それらの信号を変調し、その後、データを結合し得る。本技術は、中継ノード２００がＵＡの識別を追跡する必要性を取り除き、より柔軟な解決策を提示し得る。
【００３５】
さらに別の実施形態では、アクセスノード２０２は、ＨＡＲＱ再伝送のために、中継リンク（矢印２１２）を経由して、同一媒体アクセス制御パケットデータユニット（ＭＡＣ  ＰＤＵ）が数回送信されるように促進し得る。増分的冗長性（ＩＲ）が、中継リンクを介した再伝送のために使用されると仮定すると、ＵＡ２０４はまた、より優れた受信を得るために、中継リンクおよびアクセスリンクの両方から受信したデータを結合するために、増分的冗長性を使用可能である。本実施形態では、アクセスノード２０２は、中継ノードが、アクセスリンク２１２を介して送信するのに伴って、中継リンク２１０を介して、異なる冗長性バージョンのデータを送信し得る。中継ノード２００は、ＭＡＣ  ＰＤＵの受信に成功し、それを再エンコードし、異なるＩＲバージョンの再エンコードされたＭＡＣ  ＰＤＵを送信するであろう。中継ノード２００は、ＰＤＣＣＨスケジューリング許諾内においてバージョン番号をＵＡ２０４に示すであろう。加えて、ＵＡ２０４は、中継リンク２１０を介したアクセスノード２０２から中継ノード２００への再伝送を監視し得る。ＵＡ２０４は、中継リンク２１０を介してＰＤＣＣＨ内で信号伝達される冗長性バージョンから、データのバージョンを認知するであろう。
【００３６】
さらに別の実施形態では、適切な自律結合のために、新しいフィールドがＰＤＣＣＨ信号伝達を介して追加されることにより、受信したＭＡＣ  ＰＤＵ指数を識別し得る。ＰＤＣＣＨ上の本新しいフィールドは、中継リンクおよびアクセスリンクの両方に適用される。新しいフィールドを使用して、中継リンクまたはアクセスリンクを介して伝送される、実質的に同一データを含む信号を識別する。例えば、３ビットフィールドが、ＰＤＣＣＨに追加される。アクセスノード２０２が、ＵＡのＩＤを使用して、中継リンクを介して、中継ノード２００に第１のＭＡＣ  ＰＤＵを送信すると、本フィールドは、「０００」に設定される。中継ノードが、同一ＭＡＣ  ＰＤＵをＵＡ２０４に転送すると、同一値「０００」が、本フィールドで使用される。したがって、ＵＡ２０４は、本フィールドを使用して、潜在的に結合可能な信号を識別可能である。同一ＭＡＣ  ＰＤＵの再伝送は、同一値「０００」を有し、したがって、ＵＡ２０４は、結合のための潜在的信号を識別可能である。
【００３７】
他の実施形態では、個々のＵＡが、自律結合の使用を無効または有効にし得る。代替として、自律結合は、所与のセル内の全ＵＡに対して無効にされ得る。後者の場合は、中継ノード２００またはアクセスノード２０２のいずれかから、対応するデバイスによってサービス提供される全ＵＡに、コマンドを発行することによって、実装可能である。さらに別の例証的実施形態では、ＵＡは、自律結合が、中継ノード２００またはアクセスノード２０２のいずれかによって無効にされることを要求し得る。
【００３８】
自律結合を無効にする理由の１つは、ＵＡ内のバッテリ電力を節約するためであり得る。自律結合を無効にする別の理由は、ＵＡが、中継ノード２００またはアクセスノード２０２のいずれか一方からの不良受信を有する場所にある場合、特に、アクセスリンク（矢印２１０）が、良好な受信を有していない場合である。
【００３９】
セル内のいくつかのＵＡは、自律結合を有効にする一方、いくつかは、そうでなくてもよい。本特徴を有効にするＵＡに対して、アクセスノード２０２は、ＵＡが、スケジューリング許諾を検出可能なように、ＵＡ識別を使用して、スケジューリング許諾だけではなく、他のレイヤ１情報（ＭＣＳ等）を中継ノードに送達し得る。自律結合を有効にしないＵＡに対して、アクセスノード２０２は、依然として、単一中継ノード識別を使用して、スケジューリング許諾を送達し得る。
【００４０】
ある実施形態では、ＵＡ２０４は、自律的に、またはシステムのコマンドによって、直接リンク（矢印２１０）をサンプリングし、ＵＡ２０４のために意図された任意の伝送が存在するかどうかを決定し得る。バッテリ電力を節約するために、ＵＡ２０４は、ＵＡ２０４が、直接リンク信号および中継リンク信号の両方を受信する場合のみ、自律結合を有効にし得る。
【００４１】
別の実施形態では、中継リンク（矢印２１０）上のＰＤＣＣＨは、受信のために十分であると仮定される。しかしながら、本仮定は、常に有効ではない場合がある。ＵＡ２０４は、中継リンクＰＤＣＣＨの受信を試行し得る。ＵＡ２０４が、中継リンクＰＤＣＣＨを受信する場合、ＵＡ２０４は、意図された伝送のデコードを試行するはずである。試行が失敗する場合、ＵＡ２０４は、デコードの試みを停止し、それによって、バッテリ電力を節約可能である。ＵＡ２０４が、ＰＤＣＣＨを受信不可能である場合、ＵＡ２０４は、一定時間後、再び試みてもよい。可能性として改良された信号受信のため、ＰＤＣＣＨの受信は、一定時間後、成功する場合がある。
【００４２】
自律結合の使用による可能性のある利点は、ブロックエラー率（ＢＬＥＲ）性能およびスペクトル効率の両方を改善可能であることである。別の可能性のある利点は、データ受信が改善し、所望のサービスおよび／または他の効果の改善された質をもたらすことである。
【００４３】
図３Ａは、本開示のある実施形態による、ＵＡにおける自律結合の方法を例証する、工程図である。図３Ａに示されるプロセスを実装可能なＵＡの実施例として、図１のＵＡ１１０および図２のＵＡ２０４が挙げられる。
【００４４】
プロセスは、ＵＡが、第１の信号をアクセスノードから受信するのに伴って開始する（ブロック３００Ａ）。また、ＵＡは、第２の信号を中継ノードから受信する（ブロック３０２Ａ）。次いで、ＵＡは、第１および第２の信号を結合する（ブロック３０４Ａ）。その後、プロセスは、終了する。
【００４５】
ある実施形態では、第１および第２の信号はそれぞれ、それぞれ、第１および第２のデータを含む、第１および第２の伝送としてさらに規定される。この場合、信号を結合することは、第１および第２の伝送の部分を復調することと、第１および第２のデータの部分を結合することとして、さらに規定される。
【００４６】
別の実施形態では、第２の伝送は、第１の伝送から第１の時間後に受信される。この場合、第１および第２のデータの結合は、ＵＡが、少なくとも第１の時間と同時間である第２の時間の待機後に生じる。
【００４７】
さらに別の実施形態では、結合は、ＵＡが制御チャネルにおいてコード化された追加データを受信することによって促進される。例えば、追加データは、複数のアドレス集合のうちの特定のアドレス集合であり得る。特定のアドレス集合は、ＵＡのためのサービスを提供可能な対応する中継ノードを識別する、第１のアドレスサブ集合を含む。また、特定のアドレス集合は、ＵＡを識別する、第２のアドレスサブ集合を含み得る。
【００４８】
さらに別の実施形態では、ＵＡは、第１および第２のデータを結合させる機能を無効にするようにさらに構成され得る。ＵＡは、特定の時間内の第１の伝送の受信の失敗に応答して、機能を無効にし得る。ＵＡは、所望の信号強度と比較して、弱強度を有する第１の伝送に応答して、機能を無効にし得る。ＵＡは、第１の伝送の改善に応答して、機能を再有効化するようにさらに構成され得る。
【００４９】
別の実施形態では、第１および第２のデータは、増分的冗長性結合を使用して結合される。代替として、第１および第２のデータは、ブラインドデコーディングを使用してデコードされる。
【００５０】
図３Ｂは、本開示のある実施形態による、ＵＡにおける自律結合を促進するためのアクセスノードにおける方法を例証する、工程図である。図３Ｂのプロセスを実装可能なアクセスノードの実施例として、図１のアクセスノード１０６および図２のアクセスノード２０２が挙げられる。
【００５１】
プロセスは、アクセスノードが、複数の中継ノードのうちの１つを示し、複数のＵＡのうちの１つをさらに示す、アドレスを提供するのに伴って開始する（ブロック３００Ｂ）。アクセスノードは、アドレスを複数の中継ノードのうちの１つ以上に伝送する（ブロック３０２Ｂ）。次いで、アクセスノードは、信号を特定のＵＡに伝送し、特定のＵＡに、自律結合を有効または無効にさせる（ブロック３０４Ｂ）。その後、プロセスは、終了する。
【００５２】
ある実施形態では、アドレスは、第１のビット集合および第２のビット集合を備える。第１のビット集合は、対応する中継ノードを識別し、第２のビット集合は、対応する中継ノードのドナーセル内の対応するＵＡを識別する。
【００５３】
ＵＡ１１０および上述の他の構成要素は、上述の作用に関連する命令を実行可能である、処理構成要を含む場合がある。図４は、本明細書に開示される１つ以上の実施形態を実装するために好適な処理構成要素１３１０を含む、システム１３００の実施例を例証する。プロセッサ１３１０（中央処理装置またはＣＰＵと称され得る）に加え、システム１３００は、ネットワーク接続デバイス１３２０、ランダムアクセスメモリ（ＲＡＭ）１３３０、読取専用メモリ（ＲＯＭ）１３４０、二次記憶装置１３５０、および入／出力（Ｉ／Ｏ）デバイス１３６０を含む場合がある。これらの構成要素は、バス１３７０を経由して、相互に通信する場合がある。ある場合には、これらの構成要素のうちのいくつかは、存在しなくてもよく、または相互または図示されない他の構成要素との種々の組み合わせにおいて組み合わせされ得る。これらの構成要素は、単一の物理的エンティティまたは２つ以上の物理的エンティティ内に位置する場合がある。プロセッサ１３１０によって行われる、本明細書に説明される任意の作用は、プロセッサ１３１０単独によって、あるいはデジタル信号プロセッサ（ＤＳＰ）１３０２等の図面に図示され、または図示されない、１つ以上の構成要素と併せて、プロセッサ１３１０によって、行われる場合がある。ＤＳＰ１３０２は、別個の構成要素として示されるが、ＤＳＰ１３０２は、プロセッサ１３１０内に組み込まれる場合がある。
【００５４】
プロセッサ１３１０は、ネットワーク接続デバイス１３２０、ＲＡＭ１３３０、ＲＯＭ１３４０、または二次記憶装置１３５０（ハードディスク、フロッピー（登録商標）ディスク、または光ディスク等の種々のディスクベースのシステムを含む場合がある）からアクセスし得る、命令、コード、コンピュータプログラム、あるいはスクリプトを実行する。１つのＣＰＵ１３１０のみ示されるが、複数のプロセッサが存在し得る。したがって、命令は、プロセッサによって実装されるように論じられ得るが、命令は、１つまたは複数のプロセッサによって、同時に、連続的に、または別様に実行され得る。プロセッサ１３１０は、１つ以上のＣＰＵチップとして実装され得る。
【００５５】
ネットワーク接続デバイス１３２０は、モデム、モデムバンク、イーサネット（登録商標）デバイス、ユニバーサルシリアルバス（ＵＳＢ）インターフェースデバイス、シリアルインターフェース、トークンリングデバイス、光ファイバー分散データインタフェース（ＦＤＤＩ）デバイス、無線ローカルエリアネットワーク（ＷＬＡＮ）デバイス、符号分割多重アクセス方式（ＣＤＭＡ）デバイス等の無線送受信機デバイス、グローバル・システム・フォー・モバイル・コミュニケーションズ（ＧＳＭ）無線送受信機デバイス、ワイマックス（ＷｉＭＡＸ）デバイス、および／またはネットワークに接続するための他の周知のデバイスの形態をとり得る。これらのネットワーク接続デバイス１３２０によって、プロセッサ１３１０は、プロセッサ１３１０が情報を受信し、またはプロセッサ１３１０が情報を出力し得る、インターネットまたは１つ以上の電気通信ネットワークまたは他のネットワークと通信可能となり得る。また、ネットワーク接続デバイス１３２０は、データを無線で伝送および／または受信可能な１つ以上の送受信機構成要素１３２５を含む場合がある。
【００５６】
ＲＡＭ１３３０は、揮発性データと、恐らく、プロセッサ１３１０によって実行される命令とを格納するために使用される場合がある。ＲＯＭ１３４０は、典型的には、二次記憶装置１３５０のメモリ容量より小さいメモリ容量を有する、不揮発性メモリデバイスである。ＲＯＭ１３４０は、命令と、恐らく、命令の実行の際に読み取られるデータとを格納するために使用される場合がある。ＲＡＭ１３３０およびＲＯＭ１３４０の両方へのアクセスは、典型的には、二次記憶装置１３５０へよりも高速である。二次記憶装置１３５０は、典型的には、１つ以上のディスクドライブまたはテープドライブから構成され、データの不揮発性記憶のため、またはＲＡＭ１３３０が、全作業データを保持するために十分な大きさではない場合、オーバーフローデータ記憶デバイスとして、使用される場合がある。二次記憶装置１３５０は、プログラムが、実行のために選択されると、ＲＡＭ１３３０にロードされるプログラムを記憶するために使用され得る。
【００５７】
Ｉ／Ｏデバイス１３６０は、液晶ディスプレイ（ＬＣＤ）、タッチスクリーンディスプレイ、キーボード、スイッチ、ダイヤル、マウス、トラックボール、音声認識装置、カードリーダ、ペーパーテープリーダ、プリンタ、ビデオモニタ、または他の周知の入力デバイスを含み得る。また、送受信機１３２５は、ネットワーク接続デバイス１３２０の構成要素の代わりに、またはそれに加えて、Ｉ／Ｏデバイス１３６０の構成要素であると見なされる場合がある。
【００５８】
以下は、あらゆる目的のために、参照することによって本明細書に組み込まれる。第３世代パートナーシッププロジェクト（３ＧＰＰ）技術仕様（ＴＳ）３６．８１３および３ＧＰＰ  ＴＳ  ３６．８１４。
【００５９】
したがって、例証的実施形態は、自律結合可能なユーザエージェントを提供する。ユーザエージェントは、アクセスノードからの第１の信号および中継ノードからの第２の信号の受信を促進するように構成される、プロセッサとして、実装可能である。プロセッサは、第１および第２の信号を結合するようにさらに構成され得る。
【００６０】
さらに、例証的実施形態は、ユーザエージェントに実装される方法を提供する。第１の信号は、アクセスノードから受信される。第２の信号は、中継ノードから受信される。第１および第２の信号は、結合される。
【００６１】
さらに、例証的実施形態は、アクセスノードを提供する。アクセスノードは、複数の中継ノードの対応するものに対して、１つずつのアドレス集合を保持するように構成される。１つずつのアドレス集合は、対応する第１のビット集合および対応する第２のビット集合を備える。特定の第１のビット集合は、特定の中継ノードを識別する。特定の第２のビット集合は、特定の中継ノードのドナーセル内の特定のＵＡを識別する。アクセスノードは、１つずつのアドレス集合を複数の中継ノードに伝送するようにさらに構成される。
【００６２】
いくつかの実施形態が、本開示に提供されたが、開示されるシステムおよび方法は、本開示の精神または範囲から逸脱することなく、多くの他の特定の形態において具現化され得ることを理解されたい。本実施例は、制限ではなく、例証として見なされ、本明細書に与えられる詳細に限定されないことが意図される。例えば、種々の要素または構成要素は、組み合わせられる、または別のシステムに統合されてもよく、あるいはある特徴は、省略される、または実装されなくてもよい。
【００６３】
また、個別または別個として、種々の実施形態に説明および例証される、技術、システム、サブシステム、ならびに方法は、本開示の範囲から逸脱することなく、他のシステム、モジュール、技術、または方法と組み合わせられる、あるいは統合され得る。結合される、または直接結合される、あるいは相互に通信するように示される、もしくは論じられる、他のアイテムは、電気的に、機械的に、または別様にかにかかわらず、いくつかのインターフェース、デバイス、あるいは中間構成要素を通して、間接的に結合される、もしくは通信し得る。変更、代用、および改変の他の実施例も、当業者によって究明可能であって、本明細書に開示される精神および範囲から逸脱することなく、成され得る。
【図２】
2012512602.tif 000003
【図１】
2012512602.tif 000004
【図３Ａ】
2012512602.tif 000005
【図３Ｂ】
2012512602.tif 000006
【図４】
2012512602.tif 000007
【手続補正書】
【提出日】平成23年8月9日(2011.8.9)
【手続補正１】
【補正対象書類名】特許請求の範囲
【補正対象項目名】全文
【補正方法】変更
【補正の内容】
【特許請求の範囲】
【請求項１】
ユーザエージェントであって、
アクセスノードからの第１の信号および中継ノードからの第２の信号の受信を促進するように構成されるプロセッサであって、該第１および第２の信号を結合するようにさらに構成されるプロセッサを備え、該第１および第２の信号は、それぞれ、第１および第２の伝送としてさらに規定され、該第１および第２の伝送は、それぞれ、第１および第２のデータを含み、該第１および第２の信号を結合することは、別個に、該第１および第２の伝送の部分を復調することと、該第１および第２のデータの部分を結合することとしてさらに規定される、ユーザエージェント。
【請求項２】
前記第２の伝送は、前記第１の伝送から第１の時間後に受信され、前記ユーザエージェントは、該ユーザエージェントが、少なくとも該第１の時間と同じ長さの第２の時間の間待機した後、前記第１および第２のデータを結合するようにさらに構成される、請求項１に記載のユーザエージェント。
【請求項３】
前記結合することは、前記ユーザエージェントが、制御チャネルにおいてコード化された追加データを受信することによって促進される、請求項１または２に記載のユーザエージェント。
【請求項４】
前記追加データは、前記第２の伝送の受信前に、前記第１および第２のデータが実質的に類似することを前記ユーザエージェントに示す、請求項３に記載のユーザエージェント。
【請求項５】
前記追加データは、複数のアドレス集合のうちの特定のアドレス集合を備え、該特定のアドレス集合は、前記ユーザエージェントのためにサービスを提供可能な対応する中継ノードを識別する第１のアドレスサブ集合を含み、該特定のアドレス集合は、該ユーザエージェントを識別する第２のアドレスサブ集合を含む、請求項３または４に記載のユーザエージェント。
【請求項６】
前記ユーザエージェントは、前記第１および第２のデータが結合されることを可能にする機能を無効にするようにさらに構成される、請求項１から５のいずれかに記載のユーザエージェント。
【請求項７】
前記ユーザエージェントは、前記第１の伝送の受信の失敗に応答して、前記機能を無効にするようにさらに構成される、請求項６に記載のユーザエージェント。
【請求項８】
前記ユーザエージェントは、所望の信号強度に対して弱強度を有する前記第１の伝送に応答して、前記機能を無効にするようにさらに構成される、請求項６または７に記載のユーザエージェント。
【請求項９】
前記ユーザエージェントは、前記第１の伝送の改善に応答して、前記機能を再有効化するようにさらに構成される、請求項６から８のいずれかに記載のユーザエージェント。
【請求項１０】
前記プロセッサは、増分的冗長性結合またはブラインドデコーディングのいずれかを使用して、前記第１および第２のデータを結合するように構成される、請求項２から９のいずれかに記載のユーザエージェント。
【請求項１１】
ユーザエージェントに実装される方法であって、
アクセスノードからの第１の信号を受信することと、
中継ノードからの第２の信号を受信することと、
該第１および第２の信号を結合することと
を含み、該第１および第２の信号は、それぞれ、第１および第２の伝送としてさらに規定され、該第１および第２の伝送は、それぞれ、第１および第２のデータを含み、該信号を結合することは、別個に、該第１および第２の伝送の部分を復調することと、該第１および第２のデータの部分を結合することとしてさらに規定される、方法。
【請求項１２】
前記第２の伝送は、前記第１の伝送から第１の時間後に受信され、前記ユーザエージェントが、少なくとも該第１の時間と同じ長さの第２の時間の間待機した後、該第１および第２のデータを結合することをさらに含む、請求項１１に記載の方法。
【請求項１３】
前記結合することは、前記ユーザエージェントが、制御チャネルにおいてコード化された追加データを受信することによって促進される、請求項１１または１２に記載の方法。
【請求項１４】
前記追加データは、複数のアドレス集合のうちの特定のアドレス集合を備え、該特定のアドレス集合は、前記ユーザエージェントのためにサービスを提供可能な対応する中継ノードを識別する第１のアドレスサブ集合を含み、該特定のアドレス集合は、該ユーザエージェントを識別する第２のアドレスサブ集合を含む、請求項１３に記載の方法。
【請求項１５】
コンピューティングデバイスのプロセッサによって実行可能なコンピュータ読み取り可能命令を格納するコンピュータ読み取り可能媒体であって、該命令は、デバイスに、請求項１１から１４に記載のいずれかの方法を実装させる、コンピュータ読み取り可能媒体。
【手続補正２】
【補正対象書類名】明細書
【補正対象項目名】０００７
【補正方法】変更
【補正の内容】
【０００７】
本開示のより完全な理解のために、付随の図面および発明を実施するための形態と併せて、以下の簡単な説明を参照する（類似参照番号は、類似部品を表す）。
例えば、本発明は以下の項目を提供する。
（項目１）
ユーザエージェントであって、
アクセスノードからの第１の信号および中継ノードからの第２の信号の受信を促進するように構成されるプロセッサであって、該第１および第２の信号を結合するようにさらに構成されるプロセッサを備えている、ユーザエージェント。
（項目２）
上記第１および第２の信号は、それぞれ、第１および第２の伝送としてさらに規定され、該第１および第２の伝送は、それぞれ、第１および第２のデータを含み、該第１および第２の信号を結合することは、別個に、該第１および第２の伝送の部分を復調することと、該第１および第２のデータの部分を結合することとしてさらに規定される、項目１に記載のユーザエージェント。
（項目３）
上記第２の伝送は、上記第１の伝送から第１の時間後に受信され、上記ユーザエージェントは、該ユーザエージェントが、少なくとも該第１の時間と同じ長さの第２の時間の間待機した後、上記第１および第２のデータを結合するようにさらに構成される、項目２に記載のユーザエージェント。
（項目４）
上記結合することは、上記ユーザエージェントが、制御チャネルにおいてコード化された追加データを受信することによって促進される、項目２または３に記載のユーザエージェント。
（項目５）
上記追加データは、上記第２の伝送の受信前に、上記第１および第２のデータが実質的に類似することを上記ユーザエージェントに示す、項目４に記載のユーザエージェント。
（項目６）
上記追加データは、複数のアドレス集合のうちの特定のアドレス集合を備え、該特定のアドレス集合は、上記ユーザエージェントのためにサービスを提供可能な対応する中継ノードを識別する第１のアドレスサブ集合を含み、該特定のアドレス集合は、該ユーザエージェントを識別する第２のアドレスサブ集合を含む、項目４または５に記載のユーザエージェント。
（項目７）
上記ユーザエージェントは、上記第１および第２のデータが結合されることを可能にする機能を無効にするようにさらに構成される、項目２から６のいずれかに記載のユーザエージェント。
（項目８）
上記ユーザエージェントは、上記第１の伝送の受信の失敗に応答して、上記機能を無効にするようにさらに構成される、項目７に記載のユーザエージェント。
（項目９）
上記ユーザエージェントは、所望の信号強度に対して弱強度を有する上記第１の伝送に応答して、上記機能を無効にするようにさらに構成される、項目７または８に記載のユーザエージェント。
（項目１０）
上記ユーザエージェントは、上記第１の伝送の改善に応答して、上記機能を再有効化するようにさらに構成される、項目７から９のいずれかに記載のユーザエージェント。
（項目１１）
上記プロセッサは、増分的冗長性結合またはブラインドデコーディングのいずれかを使用して、上記第１および第２のデータを結合するように構成される、項目２から１０のいずれかに記載のユーザエージェント。
（項目１２）
ユーザエージェントに実装される方法であって、
アクセスノードからの第１の信号を受信することと、
中継ノードからの第２の信号を受信することと、
該第１および第２の信号を結合することと
を含む、方法。
（項目１３）
上記第１および第２の信号は、それぞれ、第１および第２の伝送としてさらに規定され、該第１および第２の伝送は、それぞれ、第１および第２のデータを含み、上記信号を結合することは、別個に、該第１および第２の伝送の部分を復調することと、該第１および第２のデータの部分を結合することとしてさらに規定される、項目１２に記載の方法。
（項目１４）
上記第２の伝送は、上記第１の伝送から第１の時間後に受信され、上記ユーザエージェントが、少なくとも該第１の時間と同じ長さの第２の時間の間待機した後、該第１および第２のデータを結合することをさらに含む、項目１３に記載の方法。
（項目１５）
上記結合することは、上記ユーザエージェントが、制御チャネルにおいてコード化された追加データを受信することによって促進される、項目１３または１４に記載の方法。
（項目１６）
上記追加データは、複数のアドレス集合のうちの特定のアドレス集合を備え、該特定のアドレス集合は、上記ユーザエージェントのためにサービスを提供可能な対応する中継ノードを識別する第１のアドレスサブ集合を含み、該特定のアドレス集合は、該ユーザエージェントを識別する第２のアドレスサブ集合を含む、項目１５に記載の方法。
（項目１７）
アクセスノードであって、
複数の中継ノードのうちの１つを示し、かつ、複数ユーザエージェントのうちの１つをさらに示すアドレスを提供するように構成されるプロセッサであって、該複数の中継ノードのうちの１つ以上への該アドレスの伝送を促進するようにさらに構成されるプロセッサを備える、アクセスノード。
（項目１８）
上記アドレスは、第１のビット集合および第２のビット集合を備え、該第１のビット集合は、対応する中継ノードを識別し、該第２のビット集合は、該対応する中継ノードのドナーセル内の対応するユーザエージェントを識別する、項目１７に記載のアクセスノード。
（項目１９）
上記アクセスノードは、信号を特定のユーザエージェントに伝送することによって、該特定のユーザエージェントに、自律結合を無効にするように命令するようにさらに構成される、項目１７または１８に記載のアクセスノード。
（項目２０）
上記アクセスノードは、信号を特定のユーザエージェントに伝送することによって、該特定のユーザエージェントに、自律結合を有効にするように命令するようにさらに構成される、項目１７または１８に記載のアクセスノード。
（項目２１）
上記アクセスノードは、フィールドを物理的ダウンリンク制御チャネル（ＰＤＣＣＨ）信号に追加するようにさらに構成され、該フィールドは、ユーザエージェントにおける媒体アクセス制御パケットデータユニット（ＭＡＣ  ＰＤＵ）を識別するための指数を含む、項目１７から２０のいずれかに記載のアクセスノード。
（項目２２）
アクセスノードに実装される方法であって、
複数の中継ノードのうちの１つを示し、かつ、複数のユーザエージェントのうちの１つをさらに示すアドレスを提供することと、
該アドレスを該複数の中継ノードのうちの１つ以上に伝送することと
を含む、方法。
（項目２３）
上記アドレスは、第１のビット集合および第２のビット集合を備え、該第１のビット集合は、対応する中継ノードを識別し、該第２のビット集合は、該対応する中継ノードのドナーセル内の対応するユーザエージェントを識別する、項目２２に記載の方法。
（項目２４）
信号を特定のユーザエージェントに伝送することにより、上記特定のユーザエージェントに、自律結合を無効にするように命令することをさらに含む、項目２２または２３に記載の方法。
（項目２５）
信号を特定のユーザエージェントに伝送することにより、該特定のユーザエージェントに、自律結合を有効にするように命令することをさらに含む、項目２２または２３に記載の方法。
（項目２６）
フィールドを物理的ダウンリンク制御チャネル（ＰＤＣＣＨ）信号に追加することをさらに含み、該フィールドは、ユーザエージェントにおける媒体アクセス制御パケットデータユニット（ＭＡＣ  ＰＤＵ）を識別するための指数を含む、項目２２から２５のいずれかに記載の方法。
（項目２７）
コンピューティングデバイスのプロセッサによって実行可能なコンピュータ読み取り可能命令を格納するコンピュータ読み取り可能媒体であって、該命令は、デバイスに、項目１２から１６に記載のいずれかの方法を実装させる、コンピュータ読み取り可能媒体。
【国際調査報告】
2012512602.tif 000008
2012512602.tif 000009
2012512602.tif 000010
2012512602.tif 000011
2012512602.tif 000012